(57)【要約】【課題】装置不感帯に位置した半端な記録材料を確実に保持し、且つ、適切な後処理を実行する事で搬送経路上への前記半端な記録材料の残存をさせる事が無い、高信頼性の給紙搬送系を有する画像記録装置を実現すること。【解決手段】給紙処理の際に、ペーパーエンドをペーパーエンドセンサＳ４で検出した場合、あるいは、ペーパー片の残存により、給紙中にペーパーエンドを検出しないにもかかわらず、ペーパーのドラムセット処理の後に、ペーパーエンドを検出する場合に、ペーパーあるいはペーパー片を、給紙ローラー２１ｂでカートリッジシャッター５２の方向に戻し、そして、カートリッジシャッター５２を閉じて保持状態としているので、カートリッジ１０ａの交換の際に、規定長さのないペーパーあるいはペーパー片を、カートリッジ１０ａとともに容易に取り出すことができ、残存ペーパー片を無くす事を実現させる。【選択図】      図１
2004224547.tif 000002
【特許請求の範囲】
【請求項１】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段とを有し、
前記ロール状記録材料を搬送する場合、前記給紙ローラー対を圧着状態に位置させ、且つ、前記給紙経路遮断手段により給紙経路を開口状態となるように制御し、前記ロール状記録材料を搬送しない場合は、前記給紙ローラー対を離間状態に位置させ、且つ、前記給紙系を遮断手段により給紙経路を遮断状態となるように制御する事を特徴とする画像記録装置。
【請求項２】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段とを有し、
前記記録材料収納容器の前記ロール状記録材料を導き出す引出し口を開閉させる記録材料引出し口開閉手段を更に設け、
前記ロール状記録材料を搬送する場合、前記給紙ローラー対を圧着状態に位置させ、且つ、前記給紙経路遮断手段により給紙経路を開口状態に位置させ、且つ、前記記録材料収納容器の前記記録材料引出し口開閉手段を開口状態に位置させるように制御し、前記記録材料を搬送しない場合は、前記給紙ローラー対を離間状態に位置させ、且つ、前記給紙系を遮断手段により給紙経路を遮断状態となるように位置させ、且つ、前記記録材料引出し口開閉手段を閉口状態に位置させるように制御する事を特徴とする画像記録装置。
【請求項３】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させるように制御し、前記記録材料の搬送を終了する場合は、前記給紙系を遮断手段により給紙経路を遮断状態となるように位置させた後、前記記録材料引出し口開閉手段を閉口状態に位置させ、その後、前記給紙ローラー対を離間状態に位置させるように制御する事を特徴とする画像記録装置。
【請求項４】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に回転するように制御する事を特徴とする画像記録装置。
【請求項５】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御する事を特徴とする画像記録装置。
【請求項６】
前記画像記録装置に於いて、前記記録材料引出し口開閉手段を閉口状態に位置するように制御した後、記録材料交換を指示する記録材料交換要求通知手段を設けた事を特徴とする請求項５に記載の画像記録装置。
【請求項７】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記記録材料後端検知手段が前記ロール状記録材料未検知状態に遷移する事を検知すると前記給紙ローラー対を離間状態に制御する事を特徴とする画像記録装置。
【請求項８】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段と、前記装填部を露出若しくは、隠蔽可能な装填部カバー手段と、該装填部カバー手段の開閉状態を検知するカバー位置検知手段と、前記記録材料収納容器装填状態を検知する記録材料収納容器有無検知手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記カバー位置検知手段がカバー開状態を検知し、且つ、前記記録材料収納容器有無検知手段が前記記録材料収納容器無し状態を検知し、且つ、前記記録材料後端検知手段が前記ロール状記録材料未検知状態を検知すると前記給紙ローラー対を離間状態に制御する事を特徴とする画像記録装置。
【請求項９】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段と、前記装填部を露出若しくは、隠蔽可能な装填部カバー手段と、該装填部カバー手段の開閉状態を検知するカバー位置検知手段と、前記記録材料収納容器装填状態を検知する記録材料収納容器有無検知手段と、前記画像記録装置の状態を通知する状態通知手段とを有し、
前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記カバー位置検知手段がカバー開状態を検知し、且つ、前記記録材料収納容器有無検知手段が前記記録材料収納容器無し状態を検知し、且つ、前記記録材料後端検知手段が前記ロール状記録材料未検知状態を検知できない場合に、前記状態通知手段が記録材料除去警告を発する事を特徴とする画像記録装置。
【請求項１０】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上の前記記録材料カット手段の下流に配置され、該搬送経路を遮断若しくは開口状態に維持する給紙経路遮断手段とを有し、
前記記録材料後端検知手段は、前記記録材料収納容器の前記ロール状記録材料引出し口と前記給紙ローラー対の間に配置され、前記記録材料後端検知手段と前記記録材料カット手段の搬送経路に沿った距離Ｌが前記給紙ローラー対の圧着稜線と前記給紙経路遮断手段の搬送経路に沿った距離ｌがＬ≧ｌの関係となるように各々配置されている事を特徴とする画像記録装置。
【請求項１１】
記録材料収納容器に収納されたロール状記録材料を略垂直に引き出して画像を記録する画像記録装置に於いて、
前記記録材料収納容器を装填する装填部と、該装填部に装填した前記記録材料収納容器から前記ロール状記録材料を引き出す、ローラー間距離を変更可能に設けた給紙ローラー対と、
該給紙ローラー対を給紙方向若しくは、戻し方向に回転駆動する給紙ローラー駆動手段と、
前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、
前記記録材料後端検知手段は、前記記録材料収納容器の前記ロール状記録材料引出し口と前記給紙ローラー対の間に配置され、前記記録材料後端検知手段と前記記録材料カット手段の搬送経路に沿った距離Ｌが前記給紙ローラー対の圧着稜線と前記給紙経路遮断手段の搬送経路に沿った距離ｌがＬ≧ｌの関係となるように各々配置され、更に、前記記録材料引出し口開閉手段と前記給紙ローラー対の搬送経路に沿った距離ＰがＬ≧Ｐの関係となるように配置された事を特徴とする画像記録装置。
【発明の詳細な説明】
【０００１】
【発明の属する技術分野】
本発明は、画像記録装置に関し、特に、ＲＩＰ（ラスター・イメージ・プロセッサ）または網点変換処理装置で処理された網点画像データに基づき、波長の異なる複数光源によってカラー感光材料を感光させることで、印刷物の仕上がりを事前に確認する為のカラープルーフを作成するものに関する。
【０００２】
【従来の技術】
一般にカラー印刷物を作成する際には、原稿フィルムの段階で色校正を行う事が要求される場合があり、このような場合には、Ｃ（シアン）版、Ｍ（マゼンタ）版、Ｙ（イエロー）版、及び、Ｋ（ブラック）版に色分解された各色分解網原稿フィルムを使って校正物（カラープルーフ）を作成し、本番の印刷版を作成する前に、原稿フィルムのレイアウトや色、更に、文字等に関する誤りの有無検査を含む最終印刷物の仕上がり品質を確認している。
【０００３】
近年に於いては、ＤＴＰ（Ｄｅｓｋ  Ｔｏｐ  Ｐｕｂｌｉｓｈｉｎｇ）等の普及により、スキャナから入力した画像をコンピュータのソフトウェア上で画像編集、ページ面付けする作業が一般化し、フルデジタルでの編集も珍しくなくなってきている。
【０００４】
このような工程では、更なる効率化を目指して、ページ編集済みの画像データをフィルムに直接出力するイメージセッタ出力や、印刷版に直接出力するＣＴＰ（Ｃｏｍｐｕｔｅｒ  Ｔｏ  Ｐｌａｔｅ）出力、更には、印刷機のシリンダー上に巻かれた印刷版に直接画像出力するＣＴＣ（Ｃｏｍｐｕｔｅｒ  Ｔｏ  Ｃｙｌｉｎｄｅｒ）が行われる。
【０００５】
この場合、校正確認の為だけにフィルム出力や印刷版出力を行う必要があり、最終的な印刷物作成と同等若しくはそれ以上の手間や時間更に、フィルム、印刷版の無駄が発生する問題がある。
【０００６】
その為、特に、このようなコンピューターによるフルデジタルの画像作成、編集を行う工程では、カラープルーフの作成は、ＤＤＣＰ（Ｄｉｒｅｃｔ  Ｄｉｇｉｔａｌ  Ｃｏｌｏｒ  Ｐｒｏｏｆ）、乃至は、ＤＣＰ（Ｄｉｇｉｔａｌ  Ｃｏｌｏｒ  Ｐｒｏｏｆ）と呼ばれるデジタル画像データを直接出力してカラー画像を得るシステムが求められている。
【０００７】
このようなＤＤＣＰは、コンピュータ上で加工されたデジタル画像データからイメージセッタなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったり等する前に、コンピュータ上で加工されたデジタル画像を直接出力して印刷仕上がり品質を再現するカラープルーフを作成し、その絵柄、色調、文章、文字等の確認作業を行えるようにしたものである。
【０００８】
また、このような製版・印刷工程に於ける校正のプロセスでは、
１）作業現場内部のミスの確認用である内校
２）発注主、デザイナーへの仕上がり確認用に提出される外校
３）印刷機の機長に対して、最終印刷物の見本として提供される印刷見本
の主として３つの用途向けにプルーフが作成、使用される。
【０００９】
校正プロセスの内、内校及び、一部の外校用途に於いては、納期短縮、コスト削減等のニーズから、網点画像が再現できない校正材料を使用したＤＤＣＰ、即ち、昇華転写方式やインクジェット、電子写真等の出力物を主として、体裁確認用のプルーフとして使用するケースがあるが、ハイライト部の再現性や、細かいディテール、更に、印刷時のモアレと呼ばれる網画像の不適切な干渉縞発生有無等の品質確認や、印刷見本として使用するプルーフ用途には、やはり印刷網点を忠実に再現するプルーフ出力が望まれているのが実状である。
【００１０】
このようなニーズを満足するＤＤＣＰとしては、ハイパワーヒートモードレーザーを用いて感光材料に画像露光を行い、印刷本紙に転写するタイプのものがある。しかし、このような高品質の網点を再現できるシステムでは、装置及び、感光材料のコストが高くなる欠点があった。
【００１１】
これに対し、近年、低コストで更に網点画像の確認ができる銀塩カラー感光材料を利用したＤＤＣＰが普及し始めている。銀塩カラー感光材料を利用した方式は、例えば、Ｒ，Ｇ，Ｂの波長の異なる複数の光を組み合わせて合成された光点で例えば、Ｃ，Ｍ，Ｙの各発色層にて構成される感光材料を露光して、Ｃ，Ｍ，Ｙの各ドットを発色させて、網点カラー画像を形成するものである（例えば、特許文献１参照）。
【００１２】
【特許文献１】
特開２００２―１２０４２２号公報、（第４頁、第４〜６図）
【００１３】
【発明が解決しようとする課題】
以上のような画像記録装置は、取り扱う画像のサイズが大きい為、使用する記録材料も大サイズ（例えばＡ１サイズ）のものが必要となり、必然的に装置自体のサイズも大きくなる傾向にある。その為、設置スペースの小面積化や記録材料の装置装填操作性を向上させる為に、装置上面に記録材料装填部を配置し、下部に露光室を設ける事が少なくない。
【００１４】
このような装置構成採用した場合、必然的に記録材料を略垂直に搬送する必要が生じ、特に、記録材料としてロール状のものを使用する場合は、装置装填性や取扱い性を向上させる為に、専用の収納容器であるカートリッジに装填し、該カートリッジを装置装填する方式が採られる。
【００１５】
また、前記カートリッジ内の記録材料有無は、給紙処理時にカートリッジの記録材料引出し口と第一の記録材料引出し手段である給紙ローラー対（記録材料装填時の先端挿入、記録材料へのローラー圧着痕防止の為にローラー対の間の距離を変更可能に構成されている）の略中間に配置された記録材料有無検出センサにより記録材料後端を監視し、後端を検出すると適切な記録材料エンド処理を実行する事で、給紙系路上に半端な記録材料が残存しないように制御している。
【００１６】
然るに、前記したカートリッジの記録材料引出し口から記録材料が完全に引き出される事で前記した記録材料有無検出センサは記録材料の後端を検出するものであり、物理的な配置上の制約から前記録材料引出し口と前記記録材料有無検出センサは、有限の距離を隔てて配置される為、記録材料後端の検出に不感帯が存在する。
【００１７】
従って、前記ロール状記録材料の後端部分が記録材料後端検出センサの不感帯に位置して給紙処理を完了した場合に、前記給紙ローラーの圧着状態を解除する事で給紙経路に沿って落下し、最小搬送長以下の短尺記録材料が搬送経路上に残留して、給紙ジャムを誘発していた。また、給紙搬送系は、その性質上ローラー及び、ガイドにより構成されており、これらの部材に阻まれて、残存短尺記録材料を除去する事が非常に困難であり、ジャム要因の完全除去ができず、給紙ジャムが繰り返す事も珍しくなかった。
【００１８】
本発明は、上記事情に鑑みてなされたものであり、その目的とするところは、装置不感帯に位置した半端な記録材料を確実に保持し、且つ、適切な後処理を実行する事で搬送経路上への前記半端な記録材料の残存をさせる事が無い、高信頼性の給紙搬送系を有する画像記録装置を提供する事にある。
【００１９】
【課題を解決するための手段】
上述した課題を解決し、目的を達成するために、請求項１に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段とを有し、前記ロール状記録材料を搬送する場合、前記給紙ローラー対を圧着状態に位置させ、且つ、前記給紙経路遮断手段により給紙経路を開口状態となるように制御し、前記ロール状記録材料を搬送しない場合は、前記給紙ローラー対を離間状態に位置させ、且つ、前記給紙系を遮断手段により給紙経路を遮断状態となるように制御する事を特徴とする。
【００２０】
この請求項１に記載の発明よれば、ロール状記録材料を搬送する場合、給紙ローラー対を圧着状態に位置させ、且つ、給紙経路遮断手段により給紙経路を開口状態となるように制御し、ロール状記録材料を搬送しない場合は、給紙ローラー対を離間状態に位置させ、且つ、給紙系を遮断手段により給紙経路を遮断状態となるように制御する事としているので、搬送経路上への不用意な記録材料残存を防止する事ができ、更に、短尺記録材料を容易に取り除く事が可能である。
【００２１】
また、請求項２に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段とを有し、前記記録材料収納容器の前記ロール状記録材料を導き出す引出し口を開閉させる記録材料引出し口開閉手段を更に設け、前記ロール状記録材料を搬送する場合、前記給紙ローラー対を圧着状態に位置させ、且つ、前記給紙経路遮断手段により給紙経路を開口状態に位置させ、且つ、前記記録材料収納容器の前記記録材料引出し口開閉手段を開口状態に位置させるように制御し、前記記録材料を搬送しない場合は、前記給紙ローラー対を離間状態に位置させ、且つ、前記給紙系を遮断手段により給紙経路を遮断状態となるように位置させ、且つ、前記記録材料引出し口開閉手段を閉口状態に位置させるように制御する事を特徴とする。
【００２２】
この請求項２に記載の発明によれば、記録材料収納容器のロール状記録材料を導き出す引出し口を開閉させる記録材料引出し口開閉手段を更に設け、ロール状記録材料を搬送する場合、給紙ローラー対を圧着状態に位置させ、且つ、給紙経路遮断手段により給紙経路を開口状態に位置させ、且つ、記録材料収納容器の記録材料引出し口開閉手段を開口状態に位置させるように制御し、記録材料を搬送しない場合は、給紙ローラー対を離間状態に位置させ、且つ、給紙系を遮断手段により給紙経路を遮断状態となるように位置させ、且つ、記録材料引出し口開閉手段を閉口状態に位置させるように制御する事としているので、搬送経路上への不用意な記録材料残存を防止する事ができ、給紙ジャムを引き起こす要因を排除する事ができる。
【００２３】
また、請求項３に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させるように制御し、前記記録材料の搬送を終了する場合は、前記給紙系を遮断手段により給紙経路を遮断状態となるように位置させた後、前記記録材料引出し口開閉手段を閉口状態に位置させ、その後、前記給紙ローラー対を離間状態に位置させるように制御する事を特徴とする。
【００２４】
この請求項３に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させるように制御し、記録材料の搬送を終了する場合は、給紙系を遮断手段により給紙経路を遮断状態となるように位置させた後、記録材料引出し口開閉手段を閉口状態に位置させ、その後、給紙ローラー対を離間状態に位置させるように制御する事としているので、搬送経路上への不用意な記録材料残存を防止する事ができる。
【００２５】
また、請求項４に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に回転するように制御する事を特徴とする。
【００２６】
この請求項４に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させ、記録材料後端検知手段がロール状記録材料を検知していない場合に、給紙ローラー駆動手段を戻し方向に回転するように制御する事としているので、記録材料が欠乏し、記録材料の供給が出来なくなった場合に、既に給紙経路にある記録材料を、記録材料収納容器に戻すことが出来る。
【００２７】
また、請求項５に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御する事を特徴とする。
【００２８】
この請求項５に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させ、記録材料後端検知手段がロール状記録材料を検知していない場合に、給紙ローラー駆動手段を戻し方向に少なくとも引き出し口に達する時間の間回転させた後、記録材料引出し口開閉手段を閉口状態に位置するように制御する事としているので、記録材料が欠乏し、記録材料の供給が出来なくなった場合に、既に給紙経路にある記録材料を、記録材料収納容器に戻し、記録材料引出し口開閉手段によりこの記録材料を挟み込むことが出来る。
【００２９】
また、請求項６に記載の発明にかかる画像記録装置は、前記画像記録装置に於いて、前記記録材料引出し口開閉手段を閉口状態に位置するように制御した後、記録材料交換を指示する記録材料交換要求通知手段を設けた事を特徴とする。
【００３０】
この請求項６に記載の発明によれば、画像記録装置は、記録材料引出し口開閉手段を閉口状態に位置するように制御した後、記録材料交換を指示する記録材料交換要求通知手段を設けた事としているので、オペレータは、記録材料引出し口開閉手段に挟み込まれた記録材料の存在を認知することができる。
【００３１】
また、請求項７に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記記録材料後端検知手段が前記ロール状記録材料未検知状態に遷移する事を検知すると前記給紙ローラー対を離間状態に制御する事を特徴とする。
【００３２】
この請求項７に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させ、記録材料後端検知手段がロール状記録材料を検知していない場合に、給紙ローラー駆動手段を戻し方向に少なくとも引き出し口に達する時間の間回転させた後、記録材料引出し口開閉手段を閉口状態に位置するように制御して、記録材料後端検知手段がロール状記録材料未検知状態に遷移する事を検知すると給紙ローラー対を離間状態に制御する事としているので、記録材料が欠乏し、記録材料の供給が出来なくなった場合に、既に給紙経路にある記録材料を、記録材料収納容器に戻し、記録材料引出し口開閉手段によりこの記録材料を確実に挟み込んだ後で、給紙ローラー対を離間状態とし、この記録材料を取り出せる状態とすることができる。
【００３３】
また、請求項８に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段と、前記装填部を露出若しくは、隠蔽可能な装填部カバー手段と、該装填部カバー手段の開閉状態を検知するカバー位置検知手段と、前記記録材料収納容器装填状態を検知する記録材料収納容器有無検知手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記カバー位置検知手段がカバー開状態を検知し、且つ、前記記録材料収納容器有無検知手段が前記記録材料収納容器無し状態を検知し、且つ、前記記録材料後端検知手段が前記ロール状記録材料未検知状態を検知すると前記給紙ローラー対を離間状態に制御する事を特徴とする。
【００３４】
この請求項８に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させ、記録材料後端検知手段がロール状記録材料を検知していない場合に、給紙ローラー駆動手段を戻し方向に少なくとも引き出し口に達する時間の間回転させた後、記録材料引出し口開閉手段を閉口状態に位置するように制御して、カバー位置検知手段がカバー開状態を検知し、且つ、記録材料収納容器有無検知手段が記録材料収納容器無し状態を検知し、且つ、記録材料後端検知手段がロール状記録材料未検知状態を検知すると給紙ローラー対を離間状態に制御する事としているので、ロール状記録材料を交換する際に、搬送経路上に不用意な記録材料残存もなく、新たなロール状記録材料を容易に装填することができる。
【００３５】
また、請求項９に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段と、前記装填部を露出若しくは、隠蔽可能な装填部カバー手段と、該装填部カバー手段の開閉状態を検知するカバー位置検知手段と、前記記録材料収納容器装填状態を検知する記録材料収納容器有無検知手段と、前記画像記録装置の状態を通知する状態通知手段とを有し、前記ロール状記録材料の搬送を開始する場合、前記給紙ローラー対を圧着状態に位置させた後に前記給紙経路遮断手段により給紙経路を開口状態に位置させ、且つ、前記記録材料収納容器の前記記録材料引出し口開閉手段を開口状態に位置させ、前記記録材料後端検知手段が前記ロール状記録材料を検知していない場合に、前記給紙ローラー駆動手段を戻し方向に少なくとも前記引き出し口に達する時間の間回転させた後、前記記録材料引出し口開閉手段を閉口状態に位置するように制御して、前記カバー位置検知手段がカバー開状態を検知し、且つ、前記記録材料収納容器有無検知手段が前記記録材料収納容器無し状態を検知し、且つ、前記記録材料後端検知手段が前記ロール状記録材料未検知状態を検知できない場合に、前記状態通知手段が記録材料除去警告を発する事を特徴とする。
【００３６】
この請求項９に記載の発明によれば、ロール状記録材料の搬送を開始する場合、給紙ローラー対を圧着状態に位置させた後に給紙経路遮断手段により給紙経路を開口状態に位置させ、且つ、記録材料収納容器の記録材料引出し口開閉手段を開口状態に位置させ、記録材料後端検知手段がロール状記録材料を検知していない場合に、給紙ローラー駆動手段を戻し方向に少なくとも引き出し口に達する時間の間回転させた後、記録材料引出し口開閉手段を閉口状態に位置するように制御して、カバー位置検知手段がカバー開状態を検知し、且つ、記録材料収納容器有無検知手段が記録材料収納容器無し状態を検知し、且つ、記録材料後端検知手段がロール状記録材料未検知状態を検知できない場合に、状態通知手段が記録材料除去警告を発する事としているので、ロール状記録材料を交換する際に、搬送経路上に不用意な記録材料残存があることを、オペレータに認知させ給紙ジャムを回避することができる。
【００３７】
また、請求項１０に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上の前記記録材料カット手段の下流に配置され、該搬送経路を遮断若しくは開口状態に維持する給紙経路遮断手段とを有し、前記記録材料後端検知手段は、前記記録材料収納容器の前記ロール状記録材料引出し口と前記給紙ローラー対の間に配置され、前記記録材料後端検知手段と前記記録材料カット手段の搬送経路に沿った距離Ｌが前記給紙ローラー対の圧着稜線と前記給紙経路遮断手段の搬送経路に沿った距離ｌがＬ≧ｌの関係となるように各々配置されている事を特徴とする。
【００３８】
この請求項１０に記載の発明によれば、記録材料後端検知手段は、記録材料収納容器のロール状記録材料引出し口と給紙ローラー対の間に配置され、記録材料後端検知手段と記録材料カット手段の搬送経路に沿った距離Ｌが給紙ローラー対の圧着稜線と給紙経路遮断手段の搬送経路に沿った距離ｌがＬ≧ｌの関係となるように各々配置されている事としているので、搬送経路上に残存する記録材料片が、給紙ローラ対が離間状態になり給紙経路遮断手段まで落下した後でも、記録材料片は、給紙ローラー対の圧着稜線に達する長さを有し、再度給紙ローラ対を圧着した際に、記録材料片を挟み込むことができる。
【００３９】
また、請求項１１に記載の発明にかかる画像記録装置は、記録材料収納容器に収納されたロール状記録材料を略垂直に引き出して画像を記録する画像記録装置に於いて、前記記録材料収納容器を装填する装填部と、該装填部に装填した前記記録材料収納容器から前記ロール状記録材料を引き出す、ローラー間距離を変更可能に設けた給紙ローラー対と、該給紙ローラー対を給紙方向若しくは、戻し方向に回転駆動する給紙ローラー駆動手段と、前記給紙ローラー対により引き出した前記ロール状記録材料を規定長でカットする記録材料カット手段と、前記記録材料収納容器に収納された前記ロール状記録材料の後端を検知する記録材料後端検知手段と、前記記録材料収納容器から引き出した前記ロール状記録材料を搬送する経路上に配置され、該搬送経路を遮断若しくは開口状態に維持する給紙経路遮断手段と前記記録材料収納容器の前記ロール状記録材料を導き出す引出し口を開閉させる記録材料引出し口開閉手段とを有し、前記記録材料後端検知手段は、前記記録材料収納容器の前記ロール状記録材料引出し口と前記給紙ローラー対の間に配置され、前記記録材料後端検知手段と前記記録材料カット手段の搬送経路に沿った距離Ｌが前記給紙ローラー対の圧着稜線と前記給紙経路遮断手段の搬送経路に沿った距離ｌがＬ≧ｌの関係となるように各々配置され、更に、前記記録材料引出し口開閉手段と前記給紙ローラー対の搬送経路に沿った距離ＰがＬ≧Ｐの関係となるように配置された事を特徴とする。
【００４０】
この請求項１１に記載の発明によれば、記録材料後端検知手段は、記録材料収納容器のロール状記録材料引出し口と給紙ローラー対の間に配置され、記録材料後端検知手段と記録材料カット手段の搬送経路に沿った距離Ｌが給紙ローラー対の圧着稜線と給紙経路遮断手段の搬送経路に沿った距離ｌがＬ≧ｌの関係となるように各々配置され、更に、記録材料引出し口開閉手段と給紙ローラー対の搬送経路に沿った距離ＰがＬ≧Ｐの関係となるように配置された事としているので、搬送経路上に残存する記録材料片が、給紙ローラ対が離間状態になり給紙経路遮断手段まで落下した後でも、記録材料片は、給紙ローラー対の圧着稜線に達する長さを有し、また、再度給紙ローラ対を圧着して、ロール状記録材料引出し口まで記録材料片を搬送する際に、ロール状記録材料引出し口が確実に記録材料片を挟み込む長さを備えることができる。
【００４１】
【発明の実施の形態】
以下に添付図面を参照して、この発明にかかる画像記録装置の好適な実施の形態について説明する。なお、これにより本発明が限定されるものではない。まず、本実施の形態にかかる画像記録装置の全体構成について説明する。
【００４２】
（装置の全体構成）
図１２はカラープルーフ作成装置の斜視図、図１３はカラープルーフ作成装置の内部構成の模式図である。本装置は、本発明の実施の形態の一例である。本装置の構成によって、本発明の装置の実施の形態の一例が示される。なお、本発明の画像記録装置はカラーに限られるものではなく、モノクロの画像記録であってもよい。ここでは、一例として、カラーの画像記録装置としてカラープルーフ作成装置について説明を行う。
【００４３】
図１２に示すカラープルーフ作成装置１の装置本体２には、露光ユニット３および現像処理ユニット４が備えられている。露光ユニット３は、給紙カバー９ａおよび９ｂ、並びに、前面パネル６が開閉可能に設けられ、メンテナンスが上面及び前面側から行われる。露光ユニット３の上部は、装填部７が位置し、この装填部７の横の装置本体２の前面側に操作部８が配置されている。操作部８には、液晶パネル１１とタッチパネル１２が設けられている。
【００４４】
現像処理ユニット４には、上面パネル１３及び補給パネル１４が開閉可能に設けられ、メンテナンスが上面側から行われ、処理液の補充が前面側から行われる。現像処理ユニット４の側部には排紙部１５が設けられ、現像処理された感光材料が排紙部１５に排出される。
【００４５】
図１３は、カラープルーフ作成装置の内部構成の模式図である。カラープルーフ作成装置１の装置本体２は、露光ユニット３および現像処理ユニット４を有する。露光ユニット３は、記録材料たる感光材料（以下、ペーパーまたは感光紙ともいう）に露光を行い画像情報を記録し、現像処理ユニット４は、露光された感光紙の現像を行う。
【００４６】
露光ユニット３は、装填部７、給紙部２０、露光室７６、排紙部５０および操作部８を含む。給紙カバー９ａおよび９ｂの内部には、記録材料たるペーパーを収納した記録材料収納容器であるカートリッジ１０ａおよび１０ｂがセットされる。なお、操作部８では、オペレータによる各種パラメータの設定およびカートリッジの交換要求の表示等が行われる。
【００４７】
給紙部２０は、給紙ローラーを備えており、カートリッジ１０ａあるいは１０ｂからロール状の記録材料であるペーパーを引き出して、カッターで規定の長さに切断した後に、露光室７６へ送る。
【００４８】
露光室７６は、主走査部３０、ドラム３１および副走査部４０を含む。主走査部３０に位置するドラム３１は、回転可能に設けられ、感光材料がドラム３１の外表面に吸着されて一体に回転する。主走査部３０には、ドラム３１に対向して光学ユニット３２が配置され、光学ユニット３２は副走査部４０によりドラム軸と平行に移動可能になっている。光学ユニット３２は、デジタル画像信号を受けてドラム３１に吸着されたペーパーに光ビームで露光して画像の書き込みを行う。
【００４９】
排紙部５０は、剥離ガイド５１、アキュムレータ５４および搬送ローラー等を含み、露光されたペーパーを、ドラム３１上から剥離ガイド５１により剥離し、アキュムレータ５４で蓄積しつつ、露光されたペーパーの現像速さでもって現像処理ユニット４に排紙する。
【００５０】
現像処理ユニット４には、第２露光室４１、現像部４２、定着部４３、安定部４４及び乾燥部４５が備えられている。第２露光室４１により露光ユニット３で露光されなかった部分の感光材料が疑似画像を形成し、第２露光された感光材料は、現像部４２、定着部４３及び安定部４４へ搬送して現像処理され、この処理された感光材料は乾燥部４５で乾燥して排紙部１５へ送出される。
【００５１】
次に、カラープルーフ作成装置１の露光ユニット３を、図１４および図１５を用いて詳細に説明する。図１４は、装填部７、給紙部２０および排紙部５０を示す側面図である。装填部７には、着脱可能な記録材料収納容器をなすカートリッジ１０ａおよび１０ｂが装着される。カートリッジ１０ａあるいは１０ｂは、カートリッジシャッター５２あるいは５３から感光材料の先端部を規定長さ引き出した状態で、給紙部２０の給紙ローラー２１ａ、２１ｂあるいは２３ａ、２３ｂの位置にセットされる。なお、カートリッジ１０ａおよび１０ｂには、幅の異なるペーパーが内蔵されており、タッチパネル１２により選択された後に、いずれかにより給紙がなされる。
【００５２】
装填部７には、カートリッジの着脱を確認する記録材料収納容器有無検知手段をなすカートリッジ有無センサＳ１およびＳ１′、装填部カバー手段をなす給紙カバー９ａおよび９ｂの開閉を確認するカバー位置検知手段をなすカバー開検出センサＳ２およびＳ２′が存在する。また、記録材料引出し口開閉手段をなすカートリッジシャッター５２および５３は、同じく記録材料引出し口開閉手段をなすシャッターモーターＭ５２およびＭ５３により開閉される。
【００５３】
給紙部２０は、記録材料後端検知手段をなすペーパーエンドセンサＳ４およびＳ６、給紙ローラー対をなす２１ａ、２１ｂおよび２３ａ、２３ｂ、給紙ローラー圧着解除モーターＭ２およびＭ４、給紙ローラー２１ａおよび２３ａに付随するペーパー送り量検出センサＳ２１およびＳ２３、カッター２２および２５、カッターモーターＭ２２およびＭ２５、給紙シャッター２４および１８、シャッターモーターＭ２４およびＭ１８、搬送ガイドＧ１およびＧ２、中間ローラー２６ａ、２６ｂ、エンコーダローラー２７、搬送ガイドＧ３、並びに、スクイズローラー４６を有している。なお、ペーパーエンドセンサＳ４およびＳ６、給紙ローラー２１ａ、２１ｂおよび２３ａ、２３ｂ、カッター２２および２５、給紙シャッター２４および１８は、カートリッジシャッター５２および５３の鉛直下方に、前記順序で配設される。
【００５４】
給紙部２０のペーパーエンドセンサＳ４およびＳ６は、給紙ローラー２１ａおよび２１ｂとカートリッジシャッター５２との間、および給紙ローラー２３ａおよび２３ｂとカートリッジシャッター５３との間に設けられ、このペーパーエンドセンサＳ４あるいはＳ６によりカートリッジ１０ａあるいは１０ｂから引き出されるペーパーの終端を検出する。
【００５５】
また、一対の給紙ローラー２１ａ、２１ｂおよび２３ａ、２３ｂの、一方の給紙ローラー２１ａおよび２３ａは位置が固定され、他方の給紙ローラー２１ｂおよび２３ｂは、給紙ローラー圧着解除モーターＭ２およびＭ４により、移動可能になっている。これにより、ペーパー搬送動作中以外は、ローラー圧着によるペーパーしわ発生防止のため、給紙ローラー２１ｂおよび２３ｂを待機位置へ移動させることができる。
【００５６】
感光材料の搬送中は、給紙ローラー２１ｂあるいは２３ｂを搬送位置に移動させて感光材料を対向する給紙ローラー２１ａ、２１ｂあるいは２３ａ、２３ｂとの間で圧着する。給紙ローラー２１ａあるいは２３ａは、給紙モーターＭ３あるいはＭ５により、カートリッジ１０ａあるいは１０ｂからペーパーを引き出す順方向あるいはその逆方向に回転させられ、ペーパーの搬送を制御する。また、この際ペーパー送り量検出センサＳ２１あるいはＳ２３によりペーパーの引き出し長さが計測される。
【００５７】
カッター２２および２５は、カッターモーターＭ２２およびＭ２５により動作する。カッター２２あるいは２５は、給紙ローラー２１ａ、２１ｂあるいは２３ａ、２３ｂから供給される感光材料を、カッターモーターＭ２２あるいはＭ２５を駆動することにより切断する。切断された感光材料は、搬送ガイドＧ１あるいはＧ２を経由して、中間ローラー２６ａ、２６ｂに搬送される。また、搬送ガイドＧ１あるいはＧ２を経由して搬送される際には、給紙シャッター２４あるいは１８は、開状態とされ、搬送終了と同時に閉状態とされる。
【００５８】
中間ローラー２６ａ、２６ｂ、エンコーダローラー２７およびスクイズローラー４６は、一直線上に配置され、エンコーダローラー２７およびスクイズローラー４６間には搬送ガイドＧ３が設けられている。なお、エンコーダローラー２７は、回転によりペーパーを送ると共に、ペーパーの送り量を検出するペーパー送り量検出センサＳ１０を有している。また、スクイズローラー４６は、ペーパーを、ドラム３１に圧着させ吸着状態とする。
【００５９】
つづいて、図１５は、ドラム３１、主走査部３０および副走査部４０を示す露光ユニット３の平面図である。主走査部３０のドラム３１の両端の軸部３１ａ、３１ｂは、軸受３３ａ、３３ｂを介して支持台３４ａ、３４ｂに回転可能に軸支されている。ドラム３１の一方の軸部３１ａには、駆動プーリ３５ａが設けられ、この駆動プーリ３５ａはドラム回転モーターＭ６の出力プーリ３５ｂとベルト３６により連結され、ドラム回転モーターＭ６の駆動によりドラム３１が回転する。また、ドラム３１の一方の軸部３１ａには、ロータリーエンコーダ３７が設けられ、回転パルスを出力してドラム回転に同期した画素クロック制御に用いる。
【００６０】
また、ドラム３１の他方の軸部３１ｂは、吸引ブロアＰ１に連結されている。ドラム３１は中空体で形成され、表面には吸着孔３１ｃが形成され、吸引ブロアＰ１の駆動によりドラム３１の内部が減圧されてペーパーがドラム３１の表面に吸着される。
【００６１】
光学ユニット３２には、レッドＬＥＤユニット３２０Ｒ、グリーンＬＥＤユニット３２０Ｇ、ブルーＬＥＤユニット３２０Ｂが配置されている。レッドＬＥＤユニット３２０Ｒ、グリーンＬＥＤユニット３２０Ｇ及びブルーＬＥＤユニット３２０Ｂからの光ビームは、ミラー３２５、３２６、３２７を介して、集光レンズ３３１からドラム３１上のペーパーに画像を露光する。露光シャッター３３２は露光シャッターソレノイド３３３により開閉することで、露光開始／終了時に光路の開閉を行なう。
【００６２】
光学ユニット３２は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モーターＭ７の出力軸３４５に連結され、副走査モーターＭ７の駆動により光学ユニット３２がドラム軸と平行に移動する。
【００６３】
光学ユニット３２のドラム軸方向に副走査基準位置検出センサＳ１１、副走査書き込み位置検出センサＳ１２及び副走査オーバーラン位置検出センサＳ１３が配置されている。副走査基準位置検出センサＳ１１の副走査基準位置検出で光学ユニット３２が停止しており、この副走査基準位置から副走査が開始され、画像サイズに対応した移動量で副走査が停止されて副走査基準位置へ移動して復帰させる。
【００６４】
図１４に戻り、排紙部５０は、剥離ガイド５１、剥離ガイド上下モーターＭ９、アキュムレータ２９、アキュムレータ上下モーターＭ１２、搬送ローラー２８ａ、２８ｂ、搬出モーターＭ８、出口シャッター５５、出口シャッター開検出センサＳ１６、出口センサＳ３１および出口シャッターモーターＭ１０等を含む。剥離ガイド５１は剥離ガイド上下モーターＭ９により上下動され、上位置では剥離ガイド５１の爪部がドラム３１上のペーパーを剥離し、下位置では、ドラム３１のペーパーに影響を与えない構造を有する。
【００６５】
また、アキュムレータ２９は、アキュムレータ上下モーターＭ１２により上下動され、上位置では、剥離ガイド５１により剥離されたペーパーを収集し、下位置では、剥離されたペーパーを蓄積状態とさせる。アキュムレータ２９、剥離ガイド５１が下方へ移動することで、ペーパーがアキュムレータ２９から垂れ下がる状態となる。このようにして高速（現像搬送速度に対し）でペーパーを蓄積させることで、ペーパーを傷つけることなく現像処理ユニット４に送り込むことができる。
【００６６】
また、アキュムレータ２９に収集されたペーパーは、搬出モーターＭ８により駆動される搬送ローラー２８ａ、２８ｂにより、ペーパーの現像速さで現像処理ユニット４へ排紙される。出口シャッター５５は、出口シャッターモーターＭ１０で開閉される。出口シャッター５５の開閉は、出口シャッター開検出センサＳ１６で検出される。出口シャッター５５はペーパーの排出タイミングを決定し、所定のタイミングで出口シャッター５５を開いてペーパーを現像処理ユニット４へ排紙する。また、出口シャッター５５の後には、ペーパーが現像処理ユニット４へ送り込まれることを検出する出口センサＳ３１が設けられている。
【００６７】
図１６に、露光ユニット３の電気的構成をブロック図で示す。この図１６に示すように、制御部１００は、ＣＰＵ１０１、ＲＡＭ１０２及びＲＯＭ１０３を有し、Ｉ／Ｏポート１０４、１０５を介してセンサ類及びアクチュエータ群に接続され、センサ類からの情報に基づきアクチュエータ群を制御する。
【００６８】
センサ類としては、ペーパーエンドセンサＳ４、ペーパーエンドセンサＳ６、ペーパー先端基準位置センサＳ９、ペーパー送り量検出センサＳ１０、ロータリーエンコーダ３７、副走査基準位置検出センサＳ１１、副走査書き込み位置検出センサＳ１２、副走査オーバーラン位置検出センサＳ１３、出口シャッター開検出センサＳ１６が接続される。また、この図には現れない出口センサＳ３１も接続される。
【００６９】
アクチュエータ群としては、シャッターモーターおよびＭ５３、給紙ローラー圧着解除モーターＭ２およびＭ４、給紙モーターＭ３およびＭ５、シャッターモーターＭ２４およびＭ１８、ドラム回転モーターＭ６、副走査モーターＭ７、露光シャッターソレノイド３３３、搬出モーターＭ８、剥離ガイド上下モーターＭ９、出口シャッターモーターＭ１０、アキュムレータ上下モーターＭ１２、並びに、カッターモーターＭ２２およびＭ２５が接続され、ドライバＤ２、Ｄ４、Ｄ３、Ｄ５、Ｄ６、Ｄ７、Ｄ８、Ｄ９、Ｄ１０、Ｄ１２、Ｄ１８、Ｄ２２、Ｄ２４、Ｄ２５、Ｄ５２、Ｄ５３およびＤ３３３を介してそれぞれ駆動される。
【００７０】
また、操作部８は液晶パネル１１がドライバＤ２０により制御され、カラープルーフ作成装置の運転状態を表示する。また、タッチパネル１２からの操作による指令は、Ａ・Ｄ変換部１２０によりデジタル情報としてＣＰＵ１０１に送られる。
【００７１】
外部接続されたＲＩＰ（ラスタ・イメージ・プロセッサ）５００から、デジタル画像情報が画像データ入力部２０１を介してデータバッファ２０４へ送られる。
【００７２】
一方、ロータリーエンコーダ３７からの感光材料送り情報に基づくＰＬＬ２０２の出力信号に同期させて、ドットクロック生成部２０３のドットクロックでデジタル画像情報をデータバッファ２０４からＬＵＴ（ルックアップテーブルが格納された画像メモリ）２０５およびＤ・Ａ変換部２０６Ｒ、２０６Ｇ、２０６Ｂを介してドライバ２０７Ｒ、２０７Ｇ、２０７Ｂに与え、これらドライバ２０７Ｒ、２０７Ｇ、２０７ＢによりレッドＬＥＤユニット３２０Ｒ、グリーンＬＥＤユニット３２０Ｇ、ブルーＬＥＤユニット３２０Ｂをそれぞれ駆動する。
【００７３】
ここで、ＲＩＰ５００により作成された各色（Ｃ、Ｍ、Ｙ、Ｋ）の網点画像データは画像データ入力部２０１に転送され、そこでＲＩＰフォーマットから露光用フォーマットにデータ変換されてデータバッファ２０４に蓄積されるようになっている。さらに、データバッファ２０４に１枚分の画像データが蓄積された後、全色同時露光される。
（給紙制御手段）
図１に本発明にかかる露光ユニット３の給紙制御手段１１０に関連する部分を示す。なお、図１には、給紙制御手段１１０のカートリッジ１０ａに関する部分を示し、カートリッジ１０ｂに関する部分は、カートリッジ１０ａに関する部分と全く同様であるので省略する。
【００７４】
給紙制御手段１１０は、制御部１００の一部分をなすものであり、前述した給紙ローラー圧着解除モーターＭ２、給紙ローラ駆動手段をなす給紙モーターＭ３、記録材料カット手段をなすカッターモーターＭ２２、給紙経路遮断手段をなすシャッターモーターＭ２４および記録材料引出し口開閉手段をなすシャッターモーターＭ５２を、記録材料収納容器有無検知手段をなすカートリッジ有無センサＳ１、カバー位置検知手段をなすカバー開検出センサＳ２、記録材料後端検知手段をなすペーパーエンドセンサＳ４およびペーパー送り量検出センサＳ２１からの情報に基づいて制御する。また、給紙制御手段１１０は、状態通知手段および記録材料交換要求通知手段をなす液晶パネル１１に、ペーパーの状態情報および給紙情報を表示する。
【００７５】
ペーパーであるペーパーは、カートリッジ１０ａのカートリッジシャッター５２から供給され、ペーパーエンドセンサＳ４を経て、給紙ローラー２１ａおよび２１ｂにおいて吸入され、露光ユニット３搬入される。一枚分の規定長さのペーパーが吸入されると、ペーパーは、カッター２２により切断され、規定長さのペーパーは、搬送ガイドＧ１およびＧ３を経由してドラム３１に供給される。また、切断された残りのペーパーは、給紙部２０に保持される。
【００７６】
ここで、ペーパーエンドセンサＳ４からカッター２２までの距離をＬとし、カートリッジシャッター５２から給紙ローラー２１ａおよび２１ｂの接点までの距離をＰとし、給紙ローラー２１ａおよび２１ｂの接点から給紙シャッター２４までの距離をｌとする。そして、カートリッジシャッター５２、ペーパーエンドセンサＳ４、給紙ローラー２１ａおよび２１ｂの接点、カッター２２および給紙シャッター２４は、
Ｌ≧Ｐ  ―――――――（１）
並びに、
Ｌ≧ｌ  ―――――――（２）
を共に満足する位置に配設される。
【００７７】
つづいて、図２のフローチャートを用いて露光ユニット３のメインルーチンの動作を説明する。まず、制御部１００の動作のなかで、オペレータにより、感光紙に１つの画像情報を記録するマルチモードでない場合が選択された例を説明する。カラープルーフ作成装置１の電源スイッチをオンにする（ステップＳ２００）。そして、制御部１００は、露光ユニット３および現像処理ユニット４の初期化処理を行う（ステップＳ２０１）。ここでは、装置の初期設定、さらには、各機構部の初期位置への配置が行われる。その後、カラープルーフ作成装置１が安定化するまで、ウオームアップが行われる（ステップＳ２０２）。
【００７８】
その後、制御部１００は、画像情報の転送要求がＲＩＰ５００から受信されているかどうかを判定し（ステップＳ２０３）、この転送要求が受信されている場合には（ステップＳ２０３肯定）、画像情報受信処理を行う（ステップＳ２０４）。この画像情報受信処理では、ＲＩＰ５００により作成された各色（Ｃ、Ｍ、Ｙ、Ｋ）の網点画像データが、画像データ入力部２０１に転送され、そこでＲＩＰフォーマットから露光用フォーマットにデータ変換されてデータバッファ２０４に蓄積される。
【００７９】
その後、制御部１００は、転送要求が受信されていない場合には（ステップＳ２０３否定）、データバッファ２０４に受信済みの画像情報があるかどうかを判定する（ステップＳ２１１）。データバッファ２０４に受信済みの画像情報がない場合には（ステップＳ２１１否定）、ステップＳ２０３に移行し、画像情報の転送要求を受信し、データバッファ２０４に画像情報を格納するまで、ステップＳ２０３、Ｓ２１１のステップを繰り返す。
【００８０】
その後、制御部１００は、データバッファ２０４に受信済みの画像情報がある場合には（ステップＳ２１１肯定）、露光室に感光紙があるかどうかを判定する（ステップＳ２１２）。露光室に感光紙がない場合には（ステップＳ２１２否定）、給紙処理を行う（ステップＳ２１８）。
【００８１】
ここで、ステップＳ２１８の給紙処理は、感光紙を、カートリッジ１０ａあるいは１０ｂから露光室７６のドラム３１にペーパーセットする処理である。この給紙処理は、本発明の中核部分であるので、後に詳述する。
【００８２】
その後、制御部１００は、ドラム３１にセットされた感光紙にプリント処理を行う（ステップＳ２１９）。ここで、プリント処理の動作を示すフローチャートを図３に示す。制御部１００は、露光室の主走査モーターであるドラム回転モーターＭ６の起動（ステップＳ４０２）、および副走査モーターＭ７の起動（ステップＳ４０３）を行う。そして、ドラム３１にセットされた感光紙および光学ユニット３２がプリント開始位置にあるかどうかを判定する（ステップＳ４０４）。プリント開始位置にない場合には（ステップＳ４０４否定）、プリント開始位置への配置を行う。
【００８３】
その後、制御部１００は、ドラム３１にセットされた感光紙および光学ユニット３２がプリント開始位置にある場合には（ステップＳ４０４肯定）、ＬＥＤ３２０からレーザー光を照射し画像出力を開始する（ステップＳ４０５）。そして、この画像出力を継続して行い、プリントが終了したかどうかを判定する（ステップＳ４０６）。プリントが終了した際には（ステップＳ４０６肯定）、第２のタイマー手段のリセットを行い、このプリント終了後の経過時間の計測を開始する（ステップＳ４０７）。
【００８４】
その後、制御部１００は、露光室の主走査モーターであるドラム回転モーターＭ６の停止（ステップＳ４０８）および副走査モーターＭ７の停止（ステップＳ４０９）を行い、光学ユニット３２をホーム位置に戻す副走査ホーム位置復帰処理を行い（ステップＳ４１０）、図２のメインルーチンに戻る。
【００８５】
その後、図２に戻り、制御部１００は、複数の画像情報を感光紙に配置するマルチモードかどうかを判定する（ステップＳ２０７）。この例では、単数の画像情報を感光紙に記録する場合を示しているので、マルチモードでない場合を選択し（ステップＳ２０７否定）、ドラム３１からアキュームレーターガイド２９への排紙処理（ステップＳ２０８）および、アキュームレーターガイド２９から現像処理ユニット４への搬出処理（ステップＳ２０９）が行われ、現像処理ユニット４に搬出の後に現像される。感光紙がステップＳ２０９により搬出された後は、ステップＳ２０３へ移行し、前述したステップＳ２０３、Ｓ２１１の処理を繰り返す。
【００８６】
なお、制御部１００の排紙処理および搬出処理の動作を図４および図５のフローチャートに示した。図４は、排紙処理の動作を示すフローチャートである。まず、ドラム３１に吸着されている感光紙は、吸着状態で露光される。この状態で、下がった状態にある剥離ガイド５１を、剥離ガイド上下モーターＭ９により上げた状態として、剥離爪をドラム３１に接する剥離位置にセットする（ステップＳ５０１）。
【００８７】
その後、制御部１００は、アキュームレーターガイド２９を下げた状態から上げた状態として、剥離ガイド５１により剥離される感光紙がアキュームレーターガイド２９に搬送される、搬送路が閉じた状態とする（ステップＳ５０２）。その後、ドラム３１に吸着された感光紙を、剥離爪がドラム３１と接するドラム排紙位置にセットし（ステップＳ５０３）、ドラム３１上の感光紙を剥離し、アキュームレーターガイド２９への搬入を開始する（ステップＳ５０４）。そして、出口センサＳ３１により感光紙の検出を行い、感光紙が出口に達したかどうかを判定する（ステップＳ５０５）。ここで、感光紙を検出しない間は（ステップＳ５０５否定）、搬入を継続し、感光紙を検出した場合は（ステップＳ５０５肯定）、アキュームレーターガイド２９を下げて、ドラム３１からアキュームレーターガイド２９への搬送路が開いた状態とする（ステップＳ５０６）。これにより、感光紙がアキュームレーターガイド２９から垂れ下がったアキューム状態とし、搬入が完了したかどうかを判定し（ステップＳ５０７）、搬入が完了していない場合には（ステップＳ５０７否定）搬入を継続し、搬入が完了した場合には（ステップＳ５０７肯定）、剥離ガイド５１を、下げた状態にして剥離爪がドラム３１から離れたホーム位置に復帰し（ステップＳ５０８）、この排紙処理を終了する。
【００８８】
つづいて、ステップＳ２０９の搬出処理を、図５のフローチャートを用いて説明する。排紙部５０にアキューム状態で保持された感光紙は、ステップＳ２０９の搬出処理により、現像処理ユニット４へ搬送される。まず、制御部１００は、出口シャッター５５を開状態とし（ステップＳ６０１）、感光紙が通過可能とする。そして、ローラ２８に付属される搬出モーターＭ８を起動し（ステップＳ６０２）、感光紙の現像処理ユニット４への搬送を開始する。
【００８９】
その後、制御部１００は、出口センサＳ３１により感光紙の検出を行い、出口に感光紙があるかどうかを判定する（ステップＳ６０３）。ここで、感光紙が出口にある場合は（ステップＳ６０３肯定）、感光紙の搬送を継続し、出口で感光紙を検出しなくなった場合には（ステップＳ６０３否定）、搬出モーターＭ８を停止し（ステップＳ６０４）、出口シャッター５５を閉じて（ステップＳ６０５）、この処理を終了する。
【００９０】
その後、図２の戻り、制御部１００は、ステップＳ２０３に移行し、画像情報の受信、給紙処理、プリント処理、排紙処理および搬出処理を繰り返す。
【００９１】
つぎに、制御部１００の動作のなかで、オペレータにより、感光紙に複数の画像情報を記録するマルチモードが選択される例を説明する。なお、感光紙に１つの画像情報を記録するマルチモードでない場合と共通する部分は、適宜説明を省略する。
【００９２】
まず、マルチモードでない場合と全く同様に、ステップＳ２００、Ｓ２２１の処理を行い、データバッファ２０４に画像情報を取り込み、この画像情報を、給紙処理によりドラム３１に吸着された感光紙に、ステップＳ２１９のプリント処理を行う。
【００９３】
その後、制御部１００は、複数の画像情報を感光紙に記録するマルチモードである場合に（ステップＳ２０７肯定）、ステップＳ２０３に移行し、ステップＳ２０３およびＳ２１１の処理を行う。ステップＳ２１１において、受信済みの画像情報が、データバッファ２０４に存在する場合は（ステップＳ２１１肯定）、露光室に感光紙が存在するかどうかを判定し（ステップＳ２１２）、感光紙が既に存在する場合には（ステップＳ２１２肯定）、さらに複数の画像情報を感光紙に記録するマルチモードであるかどうかを判定し（ステップＳ２１３）、マルチモードでない場合は（ステップＳ２１３否定）、ステップＳ２０３に移行する。
【００９４】
また、制御部１００は、マルチモードである場合には（ステップＳ２１３肯定）、受信済みの画像情報を、感光紙に画像情報を記録する余白が存在するかどうかを判定し（ステップＳ２１４）、余白が存在する場合には（ステップＳ２１４肯定）、ステップＳ２１９のプリント処理に移行し、この余白に画像情報の記録を行う。
【００９５】
また、制御部１００は、受信済みの画像情報を記録する余白が感光紙に存在しない場合には（ステップＳ２１４否定）、ステップＳ２０８と全く同様の排紙処理を行い（ステップＳ２１６）、そして、ステップＳ２０９と全く同様の搬出処理を行い（ステップＳ２１７）、現像処理ユニット４に感光紙を搬出する。そして、ステップＳ２１８に移行して新たな感光紙の給紙処理を行う。
【００９６】
つづいて、図６および図７のフローチャートを用いて、給紙制御手段１１０の給紙処理動作を説明する。なお、図６および図７は、カートリッジ１０ａに関する給紙制御手段１１０の動作を示したが、カートリッジ１０ｂに関する動作も全く同様であるので、説明を省略する。
【００９７】
まず、給紙制御手段１１０は、カートリッジがあるかどうかを判定する（ステップＳ７０４）。カートリッジが無い場合には（ステップＳ７０４否定）、カートリッジの設置要求処理を行う（ステップＳ７０２）。この設置要求処理では、操作部８の液晶パネル１１に、カートリッジが無いので設置する旨の警告を表示し、オペレータにカートリッジの設置を促す。
【００９８】
その後、給紙制御手段１１０は、オペレータにより設置されたカートリッジがある場合には（ステップＳ７０４肯定）、給紙カバー９ａが閉じているかどうかを判定する（ステップＳ７０５）。給紙カバー９ａが閉じていない場合には（ステップＳ７０５否定）、給紙カバー９ａの閉鎖要求処理を行う（ステップＳ７０３）。この閉鎖要求処理は、操作部８の液晶パネル１１に、給紙カバー９ａが開いているので閉じる旨の警告を表示し、オペレータに給紙カバー９ａの閉鎖を促す。
【００９９】
その後、給紙制御手段１１０は、給紙カバー９ａが閉じられている場合には（ステップＳ７０５肯定）、給紙ローラー２１ａおよび２１ｂを、給紙ローラー圧着解除モーターＭ２により、圧着する（ステップＳ７０６）。これにより、ペーパーを、給紙ローラー２１ａおよび２１ｂで挟み込み給紙モーターＭ３により搬送可能とする。そして、カートリッジシャッター５２を開く（ステップＳ７０７）。これにより、ペーパーは、カートリッジから自由に取り出せる状態となる。
【０１００】
その後、給紙制御手段１１０は、給紙シャッター２４を、シャッターモーターＭ２４を用いて開き（ステップＳ７０８）、給紙ローラー２１ａに付属するエンコーダローラーによるペーパー送り量検出センサＳ２１をオン状態とし（ステップＳ７０９）、給紙ローラー２１ａの給紙モーターＭ３を駆動状態とする（ステップＳ７１０）。これにより、ペーパーは、カートリッジ１０ａからドラム３１へ向けて順次送り込まれる。
【０１０１】
その後、給紙制御手段１１０は、ペーパーエンドを検出したかどうかを判定し（ステップＳ７１１）、ペーパーエンドを検出しない場合は（ステップＳ７１１否定）、ペーパー送り量検出センサＳ２１により計測される引き出し長さが、ペーパーの一枚分の長さである規定長さを越えるかどうかを判定し（ステップＳ７１２）、引き出し長さが規定長さを越えない場合には（ステップＳ７１２否定）、給紙ローラー２１ａの駆動を続けたまま、ステップＳ７１１に移行し、ペーパーエンドの検出と、それにつづく、ステップＳ７１２の引き出し長さの判定とを繰り返し行う。
【０１０２】
そして、給紙制御手段１１０は、ペーパーの引き出し長さが規定長さを越える場合には（ステップＳ７１２肯定）、給紙ローラー２１ａの駆動を停止し（ステップＳ７１３）、カッター２４によりペーパーのカットを行う（ステップＳ７１４）。
【０１０３】
その後、制御部１００は、給紙制御手段１１０からペーパーカット情報に基づいて、中間ローラーの給紙駆動を開始し（ステップＳ７１５）、給紙シャッター２４側のペーパーをドラム３１へ搬送するペーパーのドラムセット処理を行う（ステップＳ７１６）。
【０１０４】
その後、給紙制御手段１１０は、ペーパーがカッター２２および給紙シャッター２４間から無くなる所定時間後に、給紙シャッター２４を閉じ（ステップＳ７１７）、露光室７６への装填部７からの漏洩光を防止する。そして、カートリッジシャッター５２を閉じ（ステップＳ７１８）、シャッターで挟み込むことによりペーパーの保持を行い、給紙ローラー２１ａおよび２１ｂの圧着を解除する（ステップＳ７１９）。
【０１０５】
その後、給紙制御手段１１０は、ペーパーエンドセンサＳ４によりペーパーエンドの検出を行い（ステップＳ７２０）、ペーパーエンドが検出されない場合には（ステップＳ７２０否定）、この給紙処理を終了する。
【０１０６】
ここで、図８（Ａ）に、ステップＳ７２０において、ペーパーエンドが検出されない、カートリッジ１０ａ内部にペーパーが充分存在する場合の、給紙部２０内部のペーパーの状態の例を示す。ペーパーは、閉じられてペーパーの保持状態にあるカートリッジ１０ａのカートリッジシャッター５２から供給され、切断されたカッター２２の位置まで垂れ下がった状態となる。ここで、給紙シャッター２４は、閉じられた状態にあり、給紙ローラー２１ａおよび２１ｂは、圧着が解除された開放状態となっている。
【０１０７】
カートリッジ１０ａは、画像記録を繰り返すごとに、ステップＳ７０４〜Ｓ７２０の処理を繰り返し、順次ペーパーを給紙する。そして、カートリッジ１０ａ内部のペーパーは、順次消費され、減少して行く。
【０１０８】
ここで、カートリッジ１０ａ内部に残存するペーパーが、一枚分の規定長さよりも少なくなった場合について説明する。この場合も、ステップＳ７０４〜Ｓ７１０を行い給紙ローラーを駆動状態とし、カートリッジ１０ａからペーパーが順次送り出される状態となる。そして、ステップＳ７１１およびステップＳ７１２を繰り返し、ペーパエンドを検出したかどうかの判定と、引き出し長さが規定長さを越えたかどうかの判定を繰り返す。
【０１０９】
その後、カートリッジ１０ａに残存するペーパーが規定長さよりも短くなると、ステップＳ７１２において、引き出し長さが規定長さを越える以前に、ステップＳ７１１において、ペーパーエンドを検出する（ステップＳ７１１肯定）。図８（Ｂ）に、この状況における、給紙部２０内部のペーパーの状況を図示する。ペーパーは、給紙ローラー２１ａにより搬送ガイドＧ１に搬送されているが、規定長さに達する以前に、ペーパーエンドセンサＳ４によりペーパエンドが検出される。
【０１１０】
その後、給紙制御手段１１０は、給紙モーターＭ３を逆に回転させ、給紙ローラー２１ａの戻し駆動を開始する（ステップＳ７２１）。これに伴い、タイマーのリセットを行い（ステップＳ７２２）、カウントも開始する。そして、タイマーが戻し時間を超えるかどうかを判定し（ステップＳ７２３）、タイマーが戻し時間を超えない場合は（ステップＳ７２３否定）、タイマーのカウントアップを行い（ステップＳ７２４）、タイマーが戻し時間を超える迄、この処理を繰り返す。なお、戻し時間とは、ペーパーがカートリッジシャッター５２に確実に到達する時間で、概ね給紙ローラー２１ａの戻し速さおよびペーパーエンドセンサＳ４とカートリッジシャッター５２の距離から算出される時間である。
【０１１１】
その後、タイマーが戻し時間を超えた場合は（ステップＳ７２３肯定）、給紙ローラー２１ａの戻し駆動を停止する（ステップＳ７２５）。図９（Ａ）に、この状況における、給紙部２０内部のペーパーの状況を図示する。ペーパーは、給紙ローラー２１ａによりカートリッジシャッター５２まで搬送された状態となる。
【０１１２】
その後、給紙制御手段１１０は、カートリッジシャッター５２を閉じる（ステップＳ７２６）。図９（Ｂ）に、この状況における、給紙部２０内部のペーパーの状況を図示する。ペーパーは、給紙ローラー２１ａの閉じられたカートリッジシャッター５２により、挟み込まれた状態となり、給紙ローラー２１ａおよび２１ｂを開放状態にした場合に、カートリッジ１０ａとともにペーパー片が取り出される状態となる。
【０１１３】
その後、給紙制御手段１１０は、カートリッジ１０ａの交換要求処理を行う（ステップＳ７２８）。この交換要求処理は、操作部８の記録材量交換要求通知手段をなす液晶パネル１１に、カートリッジ１０ａ内のペーパーが無くなっている旨の警告を表示し、オペレータにカートリッジ１０ａの交換を促す。
【０１１４】
その後、給紙制御手段１１０は、カートリッジの装填が可能かどうかを判定する（ステップＳ７２７）。この判定では、カバー開検出センサＳ２、カートリッジ有無センサＳ１およびペーパーエンドセンサＳ４の検出を行い、カバーが開いており、カートリッジが無く、ペーパーエンドを検出しない際に装填が可能として（ステップＳ７２７肯定）、給紙ローラの圧着を解除する（ステップＳ７３０）。また、この判定で、カバーが開いており、カートリッジが無いにも拘わらず、ペーパーエンドを検出する際には、装填が可能でないとして、状態通知手段である液晶パネル１１にペーパー片の除去警告を表示する（ステップＳ７２９）。
【０１１５】
また、カートリッジ１０ａ内部に残存するペーパーが、一枚分の規定長さよりも長いにもかかわらず、その規定長さからの増分が、カートリッジシャッター５２とカッター２２との距離よりも短い際に、ペーパー片が、給紙部２０の給紙シャッター２４上に残存する。このペーパー片は、給紙シャッター２４が開いた際に、搬送ガイドＧ１に落ち込む危険もあり取り除く必要がある。
【０１１６】
ここで、カートリッジ１０ａ内部に残存するペーパーが、一枚分の規定長さよりも長いにもかかわらず、その規定長さからの増分が、カートリッジシャッター５２とカッター２２との距離よりも短い場合について説明する。この場合も、ステップＳ７０４〜Ｓ７１６の処理を行いドラム３１へのペーパーセットが行われる。
【０１１７】
その後、給紙制御手段１１０は、給紙シャッター２４を閉じる（ステップＳ７１７）。図１０（Ａ）に、この状態における、給紙部２０内部のペーパー（以後、ペーパー片と称する）の状況を図示する。ペーパー片は、給紙ローラー２１ａおよび２１ｂに挟み込まれた状態で、カッター２２により一方を切断されている。また、ペーパー片のもう一方の端部は、ペーパーエンドは検出されていないので、ペーパーエンドセンサＳ４とカートリッジシャッター５２の間に存在する。
【０１１８】
その後、給紙制御手段１１０は、カートリッジシャッターを閉じ（ステップＳ７１８）、給紙ローラー２１ａおよび２１ｂの圧着を解除する（ステップＳ７１９）。図１０（Ｂ）に、この状況における、給紙部２０内部のペーパー片の状況を図示する。ペーパー片は、給紙ローラー２１ａおよび２１ｂが開放状態となり、かつ、カートリッジシャッター５２に挟み込まれることがないので、給紙シャッター２４迄落下して停止する。
【０１１９】
その後、給紙制御手段１１０は、ステップＳ７２０における、ペーパーエンドを検出したかどうかの判定で、ペーパーエンドを検出するので（ステップＳ７２０肯定）、給紙ローラー２１ａおよび２１ｂを圧着し（ステップＳ８０１）、カートリッジシャッターを開く（ステップＳ８０２）。なお、図１０（Ｂ）では、ペーパーエンドセンサＳ４は、カートリッジシャッター５２の近傍に配設されるので、ペーパー片が、カッター２２から給紙シャッター２４まで落下することにより、ペーパー片を検出しなくなる、言い換えれば、ペーパーエンドを検出する。なお、式（２）に示した関係から、ペーパーエンドセンサＳ４およびカッター２２間の距離Ｌは、給紙ローラー２１ａおよび２１ｂの接点と給紙シャッター２４との間の距離ｌより長いので、Ｌを越える長さを有するペーパー片の一方の端部は、確実に給紙ローラー２１ａおよび２１ｂの接点を越える高さに位置する。
【０１２０】
その後、給紙制御手段１１０は、規定長さのペーパーがカートリッジ１０ａに残存しない場合と同様に、ステップＳ７２１〜７２５の処理を行い、ペーパー片を給紙ローラー２１ｂによりカートリッジシャッター５２の位置まで巻き戻す。
【０１２１】
図１１（Ａ）に、この状況における、給紙部２０内部のペーパーの状況を図示する。カートリッジシャッター５２は、開いた状態となっているので、ペーパーは、給紙ローラー２１ｂによりカートリッジシャッター５２の位置まで戻される。なお、式（１）の関係から、ペーパーエンドセンサＳ４およびカッター２２間の距離Ｌは、カートリッジシャッター５２と給紙ローラー２１ａおよび２１ｂの接点との間の距離Ｐより長いので、Ｌを越える長さを有するペーパー片は、給紙ローラー２１ｂの逆駆動により、確実にカートリッジシャッター５２の位置に戻ることができる。
【０１２２】
その後、給紙制御手段１１０は、ステップＳ７２６により、カートリッジシャッター５２を閉じ、ステップＳ７２８のカートリッジの交換要求処理を行う。図１１（Ｂ）に、装填が可能で、ステップＳ７２６の処理を終了した段階の給紙部２０内部のペーパーの状況を図示する。カートリッジシャッター５２は、閉じた状態でペーパー片を保持しており、カートリッジ１０ａの交換の際には、カートリッジ１０ａとともにペーパー片が取り出される。
【０１２３】
その後、給紙制御手段１１０は、ステップＳ７２７でカートリッジの装填が可能かどうかを判定し、カバーが開いており、カートリッジが無く、ペーパーエンドを検出しない際には装填が可能として、ステップＳ７３０で給紙ローラの圧着を解除する。
【０１２４】
また、ステップＳ７２７の判定で、カバーが開いており、カートリッジが無いにも拘わらず、ペーパーエンドを検出する際には、装填が可能でないとして、ステップＳ７２９において、状態通知手段である液晶パネル１１にペーパー片の除去警告を表示する。
【０１２５】
上述してきたように、本実施の形態では、給紙処理の際に、給紙中にペーパーエンドをペーパーエンドセンサＳ４で検出した場合、あるいは、ペーパー片の残存により、給紙中にペーパーエンドをペーパーエンドセンサＳ４で検出しないにもかかわらず、ペーパーのドラムセット処理の後に、ペーパーエンドを検出する場合に、ペーパーあるいはペーパー片を、給紙ローラー２１ｂでカートリッジシャッター５２の方向に戻し、そして、カートリッジシャッター５２を閉じて保持状態としているので、カートリッジ１０ａの交換の際に、規定長さのないペーパーあるいはペーパー片を、カートリッジ１０ａとともに容易に取り出すことができるとともに、機器内部に取り残すことも確実に防止することができる。
【０１２６】
また、本実施の形態では、給紙制御手段１１０は、給紙シャッター２４あるいは２５の開閉を、給紙ローラ２１ａあるいは２３ａのペーパー送り量検出センサＳ２１あるいはＳ２３ａの情報に基づいて行ったが、その代わり、エンコーダローラ２７のペーパー送り量検出センサＳ１０の情報に基づいて開閉を行い、ペーパー送り量検出センサＳ２１あるいはＳ２３ａを無くすこともできる。
【０１２７】
【発明の効果】
以上、詳細に説明したように、本発明によれば検出不感帯に位置した記録材料であっても給紙シャッター、給紙ローラー、カートリッジシャッターの各部材を適切な距離で配置する事で、搬送経路上への不用意な記録材料残存を防止する事ができ、給紙ジャムを引き起こす要因を排除する事ができる。
【０１２８】
また、給紙処理ステップにて、前記各部材を適切な順序で開閉若しくは圧着・解除処理する事により、搬送経路上への不用意な記録材料残存を防止する事ができ、更に、短尺記録材料を容易に取り除く事が可能である。
【０１２９】
即ち、不用意な短尺記録材料残存により引き起こされる給紙ジャムを回避可能な信頼性の高い給紙系を実現可能である。
【図面の簡単な説明】
【図１】画像記録装置の給紙制御手段およびその関連部分を示す図である。
【図２】実施の形態の制御部の動作を示すフローチャートである。
【図３】実施の形態のプリント処理の動作を示すフローチャートである。
【図４】実施の形態の排紙処理の動作を示すフローチャートである。
【図５】実施の形態の搬出処理の動作を示すフローチャートである。
【図６】実施の形態の給紙制御手段の動作を示すフローチャートである（その１）。
【図７】実施の形態の給紙制御手段の動作を示すフローチャートである（その２）。
【図８】実施の形態の給紙部内のペーパーの状態を示す図である（その１）。
【図９】実施の形態の給紙部内のペーパーの状態を示す図である（その２）。
【図１０】実施の形態の給紙部内のペーパーの状態を示す図である（その３）。
【図１１】実施の形態の給紙部内のペーパーの状態を示す図である（その４）。
【図１２】実施の形態の画像記録装置の全体構成を示す外観図である。
【図１３】実施の形態の画像記録装置の内部構成を示す模式図である。
【図１４】実施の形態の装填部、給紙部および排紙部の内部構成を示す側面図である。
【図１５】実施の形態の主走査部および副操作部を示す平面図である。
【図１６】実施の形態の電気的構成を示すブロック図である。
【符号の説明】
１  カラープルーフ作成装置
２  装置本体
３  露光ユニット
４  現像処理ユニット
６  前面パネル
７  装填部
８  操作部
９ａ、９ｂ  給紙カバー
１０ａ、１０ｂ  カートリッジ
１１  液晶パネル
１２  タッチパネル
１３  上面パネル
１４  補給パネル
１５  排紙部
２０  給紙部
２１ａ、２１ｂ  給紙ローラー
２２  カッター
２３  給紙ローラー
２４  カッター
２４  給紙シャッター
２６ａ、２６ｂ  中間ローラー
２９  アキュームレーターガイド
３０  主走査部
３１  ドラム
３２  光学ユニット
４０  副走査部
４１  第２露光室
４２  現像部
４３  定着部
４４  安定部
４５  乾燥部
５０  排紙部
５２  カートリッジシャッター
７６  露光室
１００  制御部
１１０  給紙制御手段
Ｇ１、Ｇ２、Ｇ３  搬送ガイド
Ｍ２  給紙ローラー圧着解除モーター
Ｍ２２  カッターモーター
Ｍ２４  シャッターモーター
Ｍ３  給紙モーター
Ｍ５２  シャッターモーター
Ｓ１  カートリッジ有無センサ
Ｓ２  カバー開検出センサ
Ｓ１０、Ｓ２１、Ｓ２３  ペーパー送り量検出センサ
Ｓ４、Ｓ６  ペーパーエンドセンサ
【図１】
2004224547.tif 000003
【図２】
2004224547.tif 000004
【図３】
2004224547.tif 000005
【図４】
2004224547.tif 000006
【図５】
2004224547.tif 000007
【図６】
2004224547.tif 000008
【図７】
2004224547.tif 000009
【図８】
2004224547.tif 000010
【図９】
2004224547.tif 000011
【図１０】
2004224547.tif 000012
【図１１】
2004224547.tif 000013
【図１２】
2004224547.tif 000014
【図１３】
2004224547.tif 000015
【図１４】
2004224547.tif 000016
【図１５】
2004224547.tif 000017
【図１６】
2004224547.tif 000018